(57)【要約】【課題】スラブプロファイルにおける信号強度に基づいて、第２スラブ領域を選択することにより、画像品質を向上させる。【解決手段】設定された撮像プロトコルに基づいて、信号強度シミュレーション部３０１ａが、信号強度プロファイルをシミュレーションする。そして、撮像プロトコルのフリップアングルとランプパルスの波形に基づいて、フリップアングルプロファイルシミュレーション部３０１ｂが、フリップアングルプロファイルをシミュレーションする。そして、信号強度プロファイルとフリップアングルプロファイルに基づいて、スラブプロファイルシミュレーション部３０１がスラブプロファイルをシミュレーションする。そして、スラブ領域選択部３０２が第１スラブ領域から第２スラブ領域を選択し、画像再構成部３３が選択した第２スラブ領域における画像を生成する。【選択図】図９
2008278961.tif 000002
【特許請求の範囲】
【請求項１】
３Ｄタイムオブフライト法により、静磁場空間内の被検体にランプパルスを送信し、当該被検体から磁気共鳴信号を収集するスキャンを実施することによって、前記被検体についてイメージングする磁気共鳴イメージング装置であって、
前記被検体において前記スキャンを実施する第１スラブ領域と撮像プロトコルとを設定するプロトコル設定部と、
前記撮像プロトコル設定部により設定された前記撮像プロトコルに基づいて、前記第１スラブ領域についてスキャンを実施する際に収集される磁気共鳴信号の信号強度と、前記第１スラブ領域の厚さ方向との関係を、スラブプロファイルとしてシミュレーションするスラブプロファイルシミュレーション部と、
前記スラブプロファイルシミュレーション部によりシミュレーションされた前記スラブプロファイルにおいて、前記第１スラブ領域の厚さ方向にて前記スラブプロファイルの傾きの正負が逆になる極点を算出し、当該算出した極点に対応するように前記第１スラブ領域の厚さを変更したスラブ領域を、第２スラブ領域として選択するスラブ領域選択部と
を有し、
前記撮像プロトコル設定部は、前記スラブ選択部により選択された第２スラブ領域を、前記被検体において前記スキャンが実施されるスラブ領域として設定する、
磁気共鳴イメージング装置。
【請求項２】
前記スラブ領域設定部は、
前記スラブプロファイルシミュレーション部によりシミュレーションされた前記スラブプロファイルにおいて、前記第１スラブ領域の厚さ方向にて前記スラブプロファイルの傾きの正負が逆になる極点であって、予め定められた変化量のしきい値を超える信号強度の変化が開始する変化開始点である前記極点を算出した後に、算出した当該極点に対応するように前記第１スラブ領域の厚さ方向の位置を変更することによって、当該第１スラブ領域の厚さ方向の位置が変更された領域における前記スラブプロファイルの傾きが、予め定められた傾きのしきい値の範囲内となる領域を第２スラブ領域として選択する、
請求項１に記載の磁気共鳴イメージング装置。
【請求項３】
前記スラブプロファイルシミュレーション部は、
前記撮像プロトコル設定部が設定した前記撮像プロトコルに基づいて、スピンを励起するフリップアングルと、前記第１スラブ領域についてスキャンを実施する際に収集される前記磁気共鳴信号の信号強度との関係である信号強度プロファイルをシミュレーションする信号強度シミュレーション部と、
前記撮像プロトコル設定部が設定した撮像プロトコルであるフリップアングルと前記ランプパルスの波形とに基づいて、前記第１スラブ領域の厚さ方向における前記ランプパルスが前記第１スラブ領域のスピンを励起するフリップアングルの分布であるフリップアングルプロファイルをシミュレーションするフリップアングルプロファイルシミュレーション部と
を含み、
前記信号強度シミュレーション部によりシミュレーションされた信号強度プロファイルと前記フリップアングルプロファイルシミュレーション部によりシミュレーションされたフリップアングルプロファイルに基づいて前記スラブプロファイルをシミュレーションする、
請求項１または２に記載の磁気共鳴イメージング装置。
【請求項４】
前記フリップアングルプロファイルシミュレーション部は、前記ランプパルスの波形を高速フーリエ変換することにより前記フリップアングルプロファイルをシミュレーションする、
請求項１から３のいずれか１項に記載の磁気共鳴イメージング装置。
【請求項５】
前記フリップアングルプロファイルシミュレーション部は、ブロッホ・シミュレーションにより前記フリップアングルの分布をシミュレーションする、
請求項１から３のいずれか１項に記載の磁気共鳴イメージング装置。
【請求項６】
前記信号強度シミュレーション部は、ブロッホ・シミュレーションにより前記信号強度をシミュレーションする、
請求項１から５のいずれか１項に記載の磁気共鳴イメージング装置。
【請求項７】
前記スラブプロファイルシミュレーション部は、ブロッホ・シミュレーションにより前記スラブプロファイルをシミュレーションする、
請求項１または２に記載の磁気共鳴イメージング装置。
【請求項８】
３Ｄタイムオブフライト法により、静磁場空間内の被検体にランプパルスを送信し、当該被検体から磁気共鳴信号を収集するスキャンが実施されるスラブ領域を設定するスラブ領域設定方法であって、
前記被検体において前記スキャンを実施する第１スラブ領域と撮像プロトコルとを設定する第１ステップと、
前記第１ステップにおいて設定された前記撮像プロトコルに基づいて、前記第１スラブ領域についてスキャンを実施する際に収集される磁気共鳴信号の信号強度と、前記第１スラブ領域の厚さ方向との関係を、スラブプロファイルとしてシミュレーションする第２ステップと、
前記第２ステップによりシミュレーションされた前記スラブプロファイルにおいて、前記第１スラブ領域の厚さ方向にて前記スラブプロファイルの傾きの正負が逆になる極点を算出した後に、当該算出した極点に対応するように前記第１スラブ領域の厚さを変更したスラブ領域を、第２スラブ領域として選択する第３ステップと、
前記第３ステップにおいて選択された第２スラブ領域を、前記被検体において前記スキャンが実施されるスラブ領域として設定する第４ステップと
を含む、
スラブ領域設定方法。
【請求項９】
前記第３ステップは、
前記第２ステップにおいてシミュレーションされた前記スラブプロファイルにおいて、前記第１スラブ領域の厚さ方向にて前記スラブプロファイルの傾きの正負が逆になる極点であって、予め定められた変化量のしきい値を超える信号強度の変化が開始する変化開始点である前記極点を算出した後に、算出した当該極点に対応するように前記第１スラブ領域の厚さ方向の位置を変更することによって、当該第１スラブ領域の厚さ方向の位置が変更された領域におけるスラブプロファイルの傾きが、予め定められた傾きのしきい値の範囲内となる領域を第２スラブ領域として選択する、
請求項８に記載のスラブ領域設定方法。
【請求項１０】
前記第２ステップは、
前記第１ステップにおいて設定した前記撮像プロトコルに基づいて、フリップアングルと、前記第１スラブ領域についてスキャンを実施する際に収集される前記磁気共鳴信号の信号強度との関係である信号強度プロファイルをシミュレーションし、
前記第１ステップにおいて設定した撮像プロトコルであるフリップアングルと前記ランプパルスの波形とに基づいて、前記第１スラブ領域の厚さ方向における前記ランプパルスが前記第１スラブ領域のスピンを励起するフリップアングルの分布であるフリップアングルプロファイルをシミュレーションし、
前記信号強度プロファイルと前記フリップアングルプロファイルに基づいて、前記スラブプロファイルをシミュレーションする、
請求項８または９に記載のスラブ領域設定方法。
【発明の詳細な説明】
【技術分野】
【０００１】
本発明は、磁気共鳴イメージング装置およびスラブ領域設定方法に関する。
【背景技術】
【０００２】
磁気共鳴イメージング装置において血流を描出するＭＲＡ（magnetic resonance angiography）としてＴＯＦ（time of flight）法や位相コントラスト法（phase contrast）などが知られている。
【０００３】
一般に、ＭＲＡは、血流がスライス面を通過する時間と血流の信号に与える効果を利用する手法である。この効果は移動するスピンが有する２つの性質のいずれかによって起こる。１つは、流速を持つスピンは静止系におけるスピンと異なる信号強度を持つという性質、２つ目は、傾斜磁場の中をスピンが移動することにより横磁化の位相シフトが生じるとう性質である。ＴＯＦ法は、前者の性質を利用した方法である。
【０００４】
ＴＯＦ法には、スライス面を撮像する２ＤＴＯＦ（two dimensional time of flight）法と３Ｄボリュームであるスラブを撮像する３ＤＴＯＦ（three dimensional time of flight）法がある。
【０００５】
３ＤＴＯＦ（three dimensional time of flight）法においては、２ＤＴＯＦ（two dimensional time of flight）法に比べてスラブ（スライス）が厚いため、血流がスラブ内を通過する際に何回もＲＦパルスを受けることにより、血流内のスピンが飽和されていき、スラブおける血流の流入部から遠い血流は飽和される。そのため、流入部から遠い血管における信号強度が低下する。この飽和を防ぐため、比較的高いフリップアングルを用いたり、スラブに対しランプパルス（ramped pulse）を照射させるＴＯＮＥ（tilted optimized non-saturating excitation）方法が知られている。ＴＯＮＥ法は、スラブに対してフリップアングルが徐々に大きくなるように形成されたランプパルスをスラブに照射することにより、流入部から遠い部分のバックグラウンドと血液のコントラストを改善できる（特許文献１、特許文献２参照）。
【０００６】
また、３ＤＴＯＦ法では、２ＤＴＯＦ法に比べスラブが厚いため、スラブ内において信号強度の差が大きくなる。そのため、スラブ端においてスラブを構成するスライスの一部を削除する手法が取られている。
【０００７】
このランプパルスや比較的高いフリップアングルを用いる場合、スラブプロファイルによってはスラブ端のスライスで背景信号が高くなることがある。たとえば、脳脊髄液など水に近いＴ１緩和時間、Ｔ２緩和時間を有し、信号強度の高い最適なフリップアングルが小さい組織においてこのようなことが起こる。これは、最適なフリップアングルが小さいため、スラブ端でランプパルスのフリップアングルが最大になった後、ランプパルスのフリップアングルが急激に小さくなる間に、これらの組織における信号強度が高くなる最適なフリップアングルがスラブ内に含まれるからである。
【０００８】
通常、スラブ端において削除させるスライス枚数は固定されており、スラブを構成するスライス枚数が少ない場合は、削除するスライス内に高輝度の背景信号を有するスライスが含まれるため、最終的に得られる最大輝度を投影したＭＩＰ（maximum intensity projection）画像の画質に問題はない。
【特許文献１】特開平５−２６９１０７号公報
【特許文献２】特開平７−３１３４８５号公報
【発明の開示】
【発明が解決しようとする課題】
【０００９】
しかし、スラブを構成するスライス枚数が多い場合、削除するスライス内に高輝度の背景信号を含むスライスが含まれない。換言すれば、画像を生成するスラブ領域内に高輝度の背景信号を含むこととなる。したがって、この場合ＭＩＰ画像を生成すると、画像上に高輝度の信号ラインが生じ、画質が低下する等の問題が生じる場合がある。
【００１０】
したがって、本発明の目的は、スラブプロファイルにおける信号強度のシミュレーションに基づいて、画像を生成するスラブ領域を選択することにより、画像品質を向上させることができる磁気共鳴イメージング装置およびスラブ領域設定方法を提供することにある。
【課題を解決するための手段】
【００１１】
上記目的の達成のために本発明の磁気共鳴イメージング装置は、３Ｄタイムオブフライト法により、静磁場空間内の被検体にランプパルスを送信し、当該被検体から磁気共鳴信号を収集するスキャンを実施することによって、前記被検体についてイメージングする磁気共鳴イメージング装置であって、前記被検体において前記スキャンを実施する第１スラブ領域と撮像プロトコルとを設定するプロトコル設定部と、前記撮像プロトコル設定部により設定された前記撮像プロトコルに基づいて、前記第１スラブ領域についてスキャンを実施する際に収集される磁気共鳴信号の信号強度と、前記第１スラブ領域の厚さ方向との関係を、スラブプロファイルとしてシミュレーションするスラブプロファイルシミュレーション部と、前記スラブプロファイルシミュレーション部によりシミュレーションされた前記スラブプロファイルにおいて、前記第１スラブ領域の厚さ方向にて前記スラブプロファイルの傾きの正負が逆になる極点を算出した後に、当該算出した極点に対応するように前記第１スラブ領域の厚さを変更したスラブ領域を、第２スラブ領域として選択するスラブ領域選択部とを有し、前記撮像プロトコル設定部は、前記スラブ選択部により選択された第２スラブ領域を、前記被検体において前記スキャンが実施されるスラブ領域として設定する。
【００１２】
好適には、前記スラブ領域設定部は、前記スラブプロファイルシミュレーション部によりシミュレーションされた前記スラブプロファイルにおいて、前記第１スラブ領域の厚さ方向にて前記スラブプロファイルの傾きの正負が逆になる極点であって、予め定められた変化量のしきい値を超える信号強度の変化が開始する変化開始点である前記極点を算出した後に、当該算出した極点に対応するように前記第１スラブ領域の厚さ方向の位置を変更することによって、当該第１スラブ領域の厚さ方向の位置が変更された領域における信号強度の変化する割合の正負が、前記ランプパルスにおけるフリップアングルが変化する割合の正負と逆となる領域を、第２スラブ領域として選択する。
【００１３】
好適には、前記スラブプロファイルシミュレーション部は、前記撮像プロトコル設定部が設定した前記撮像プロトコルに基づいて、スピンを励起するフリップアングルと、前記第１スラブ領域についてスキャンを実施する際に収集される前記磁気共鳴信号の信号強度との関係である信号強度プロファイルをシミュレーションする信号強度シミュレーション部と、前記撮像プロトコル設定部が設定した撮像プロトコルであるフリップアングルと前記ランプパルスの波形とに基づいて、前記第１スラブ領域の厚さ方向における前記ランプパルスが前記第１スラブ領域のスピンを励起するフリップアングルの分布であるフリップアングルプロファイルをシミュレーションするフリップアングルプロファイルシミュレーション部とを含み、前記信号強度シミュレーション部によりシミュレーションされた信号強度プロファイルと前記フリップアングルプロファイルシミュレーション部によりシミュレーションされたフリップアングルプロファイルに基づいて前記スラブプロファイルをシミュレーションする。
【００１４】
好適には、前記フリップアングルプロファイルシミュレーション部は、前記ランプパルスの波形を高速フーリエ変換することにより前記フリップアングルプロファイルをシミュレーションする。
【００１５】
好適には、前記フリップアングルプロファイルシミュレーション部は、ブロッホ・シミュレーションにより前記フリップアングルの分布をシミュレーションする。
【００１６】
好適には、前記信号強度シミュレーション部は、ブロッホ・シミュレーションにより前記信号強度をシミュレーションする。
【００１７】
好適には、前記スラブプロファイルシミュレーション部は、ブロッホ・シミュレーションにより前記スラブプロファイルをシミュレーションする。
【００１８】
また、上記目的のために本発明のスラブ領域設定方法は、３Ｄタイムオブフライト法により、静磁場空間内の被検体にランプパルスを送信し、当該被検体から磁気共鳴信号を収集するスキャンが実施されるスラブ領域を設定するスラブ領域設定方法であって、前記被検体において前記スキャンを実施する第１スラブ領域と撮像プロトコルとを設定する第１ステップと、前記第１ステップにおいて設定された前記撮像プロトコルに基づいて、前記第１スラブ領域についてスキャンを実施する際に収集される磁気共鳴信号の信号強度と、前記第１スラブ領域の厚さ方向との関係を、スラブプロファイルとしてシミュレーションする第２ステップと、前記第２ステップによりシミュレーションされた前記スラブプロファイルにおいて、前記第１スラブ領域の厚さ方向にて前記スラブプロファイルの傾きの正負が逆になる極点を算出した後に、当該算出した極点に対応するように前記第１スラブ領域の厚さを変更したスラブ領域を、第２スラブ領域として選択する第３ステップと、前記第３ステップにおいて選択された第２スラブ領域を、前記被検体において前記スキャンが実施されるスラブ領域として設定する第４ステップとを含む。
【００１９】
好適には、前記第３ステップは、前記第２ステップにおいてシミュレーションされた前記スラブプロファイルにおいて、前記第１スラブ領域の厚さ方向にて前記スラブプロファイルの傾きの正負が逆になる極点であって、予め定められた変化量のしきい値を超える信号強度の変化が開始する変化開始点である前記極点を算出した後に、当該算出した極点に対応するように前記第１スラブ領域の厚さ方向の位置を変更することによって、当該第１スラブ領域の厚さ方向の位置が変更された領域における信号強度の変化する割合の正負が、前記ランプパルスにおけるフリップアングルが変化する割合の正負と逆となる領域を、第２スラブ領域として選択する。
【００２０】
好適には、前記第２ステップは、前記第１ステップにおいて設定した前記撮像プロトコルに基づいて、フリップアングルと、前記第１スラブ領域についてスキャンを実施する際に収集される前記磁気共鳴信号の信号強度との関係である信号強度プロファイルをシミュレーションし、前記第１ステップにおいて設定した撮像プロトコルであるフリップアングルと前記ランプパルスの波形とに基づいて、前記第１スラブ領域の厚さ方向における前記ランプパルスが前記第１スラブ領域のスピンを励起するフリップアングルの分布であるフリップアングルプロファイルをシミュレーションし、前記信号強度プロファイルと前記フリップアングルプロファイルに基づいて、前記スラブプロファイルをシミュレーションする。
【発明の効果】
【００２１】
本発明によれば、スラブプロファイルにおける信号強度のシミュレーションに基づいて、画像を生成するスラブ領域を選択することにより、画像品質を向上させることができる磁気共鳴イメージング装置およびスラブ領域設定方法を提供することができる。
【発明を実施するための最良の形態】
【００２２】
以下より、本発明にかかる一実施形態について図面を参照して説明する。
【００２３】
（装置構成）
図１は、本発明にかかる一実施形態のＲＦコイル部により構成される磁気共鳴イメージング装置の構成を示す構成図である。本装置は、本発明の実施形態の一例である。
【００２４】
図１に示すように、磁気共鳴イメージング装置１は、スキャン部２と、操作コンソール部３とを有している。ここで、スキャン部２は、静磁場マグネット部１２と、勾配コイル部１３と、ＲＦコイル部１４と、クレードル１５とを有する。そして、操作コンソール部３は、ＲＦ駆動部２２と、勾配駆動部２３と、データ収集部２４と、制御部３０と、記憶部３１と、操作部３２と、画像再構成部３３と、表示部３４とを有する。
【００２５】
スキャン部２について説明する。
【００２６】
スキャン部２は、図１に示すように、被検体４０において体動する撮影対象を含む撮影スライス領域が収容される静磁場空間１１を含んでいる。そして、スキャン部２は、操作コンソール部３からの制御信号に基づいて、静磁場が形成される静磁場空間１１に収容した被検体４０の撮影領域にＲＦパルスを照射し、その撮影領域から生ずる磁気共鳴信号をイメージングデータとして収集し、被検体４０についてスキャンを実施する。
【００２７】
スキャン部２の各構成要素について、順次、説明する。
【００２８】
静磁場マグネット部１２は、被検体４０が収容される静磁場空間１１に静磁場を形成するために設けられている。静磁場マグネット部１２は、水平磁場型であって、被検体４０が収容される静磁場空間１１において載置される被検体４０の体軸方向（ｙ方向）に沿うように、超伝導磁石（図示なし）が静磁場を形成する。なお、静磁場マグネット部１２は、水平磁場型の他に、垂直磁場型であってもよく、また静磁場マグネット部１２は、永久磁石により構成されていてもよい。
【００２９】
勾配コイル部１３は、ＲＦコイル部１４が受信する磁気共鳴信号に３次元の位置情報を持たせるために、静磁場空間１１に勾配磁場を形成する。勾配コイル部１３は、スライス選択勾配磁場、読み取り勾配磁場、位相エンコード勾配磁場の３種類の勾配磁場を形成するために勾配コイルを３系統有する。
【００３０】
ＲＦコイル部１４は、たとえば、被検体４０を囲むように配置される。ＲＦコイル部１４は、静磁場マグネット部１２によって静磁場が形成される静磁場空間１１内において、制御部３０からの制御信号に基づいて、電磁波であるＲＦパルスを被検体４０に送信して高周波磁場を形成する。これにより、被検体４０の撮影スライス領域におけるプロトンのスピンを励起する。そして、ＲＦコイル部１４は、その励起された被検体４０の撮影スライス領域におけるプロトンのスピンが元の磁化ベクトルへ戻る際に生ずる電磁波を、磁気共鳴信号として受信する。
【００３１】
クレードル１５は、被検体４０を載置するテーブルを有する。クレードル１５は、制御部３０からの制御信号に基づいて、静磁場空間１１の内部と外部との間でテーブルに載置された被検体４０を移動する。
【００３２】
操作コンソール部３について説明する。
【００３３】
操作コンソール部３は、スキャン部２が被検体についてスキャンを実施するように制御し、そのスキャン部２が実施したスキャンによって得られた磁気共鳴信号に基づいて、被検体４０の画像を生成すると共に、その生成した画像を表示する。
【００３４】
操作コンソール部３を構成する各部について、順次、説明する。
【００３５】
ＲＦ駆動部２２は、ＲＦコイル部１４を駆動させて静磁場空間１１内に高周波磁場を形成するために、ゲート変調器（図示なし）とＲＦ電力増幅器（図示なし）とＲＦ発振器（図示なし）とを有する。ＲＦ駆動部２２は、制御部３０からの制御信号に基づいて、ＲＦ発振器からのＲＦ信号を、ゲート変調器を用いて所定のタイミングおよび所定の包絡線の信号に変調する。そして、ゲート変調器により変調されたＲＦ信号を、ＲＦ電力増幅器により増幅した後、ＲＦコイル部１４に出力する。
【００３６】
勾配駆動部２３は、制御部３０の制御信号に基づいて勾配コイル部１３を駆動させて、静磁場空間１１内に勾配磁場を発生させる。勾配駆動部２３は、勾配コイル部１３の３系統の勾配コイルに対応して３系統の駆動回路（図示なし）を有する。
【００３７】
データ収集部２４は、ＲＦコイル部１４が受信する磁気共鳴信号を収集するために、位相検波器（図示なし）とアナログ／デジタル変換器（図示なし）とを有する。データ収集部２４は、ＲＦコイル部１４からの磁気共鳴信号を、ＲＦ駆動部２２のＲＦ発振器の出力を参照信号として、位相検波器によって位相検波し、アナログ／デジタル変換器に出力する。そして、位相検波器により位相検波されたアナログ信号である磁気共鳴信号を、アナログ／デジタル変換器によってデジタル信号に変換して、画像再構成部３３に出力する。
【００３８】
制御部３０は、コンピュータと、コンピュータを用いて所定のスキャンに対応する動作を各部に実行させるプログラムとを有する。そして、制御部３０は、操作部３２に接続されており、操作部３２に入力された操作信号を処理し、クレードル１５とＲＦ駆動部２２と勾配駆動部２３とデータ収集部２４との各部に、制御信号を出力し制御を行う。また、制御部３０は、所望の画像を得るために、操作部３２からの操作信号に基づいて画像再構成部３３を制御する。
【００３９】
図２は、本発明にかかる一実施形態における制御部３０の構成を示すブロック図である。
【００４０】
図２に示すように、制御部３０は、スラブプロファイルシミュレーション部３０１と、スラブ領域選択部３０２とを有しており、スラブプロファイルシミュレーション部３０１は、信号強度シミュレーション部３０１ａと、フリップアングルプロファイルシミュレーション部３０１ｂとを有している。そして、制御部３０において、被検体４０の磁気共鳴画像を生成するための第２スラブ領域が選択される。詳細については後述するが、たとえば、後述する撮像プロトコル設定部３２１で設定された撮像プロトコルに基づいて、信号強度シミュレーション部３０１ａが、フリップアングルと前記第１スラブ領域についてスキャンを実施する際に収集される磁気共鳴信号における信号強度との関係をシミュレーションする。そして、撮像プロトコル設定部３２１で設定されたフリップアングルとランプパルスの波形に基づいて、フリップアングルプロファイルシミュレーション部３０１ｂが、ランプパルスのスラブ領域の厚さ方向におけるフリップアングルの分布であるフリップアングルプロファイル、すなわち、ランプパルスの励起プロファイルをシミュレーションする。そして、信号強度シミュレーション部３０１ａによりシミュレーションされたフリップアングルと前記第１スラブ領域についてスキャンを実施する際に収集される磁気共鳴信号における信号強度との関係、およびフリップアングルプロファイルシミュレーション部３０１ｂによりシミュレーションされたランプパルスのスラブ領域の厚さ方向におけるフリップアングルの分布に基づいて、スラブプロファイルシミュレーション部３０１が第１スラブ領域の厚さ方向における磁気共鳴信号の信号強度を示すスラブプロファイルをシミュレーションする。そして、スラブプロファイルにおける第１スラブ領域に基づいて、スラブ領域選択部３０２が、被検体４０の磁気共鳴画像を生成するための第２スラブ領域を選択する。
【００４１】
制御部３０の各部について順次説明する。
【００４２】
信号強度シミュレーション部３０１ａは、後述する撮像プロトコル設定部３２１で設定された被検体４０における第１スラブ領域におけるＴ１緩和時間、Ｔ２＊緩和時間、ＴＥ（エコー時間）、ＴＲ（繰り返し時間）に基づいて、フリップアングルと、第１スラブ領域についてスキャンを実施する際に収集される磁気共鳴信号の信号強度との関係をシミュレーションする。
【００４３】
フリップアングルプロファイルシミュレーション部３０１ｂは、撮像プロトコル設定部３２１で設定されたフリップアングルとランプパルスの波形に基づいて、ランプパルスの第１スラブ領域の厚さ方向におけるフリップアングルの分布をシミュレーションする。
【００４４】
また、他のシミュレーション方法として、フリップアングルが９０°以下の場合、フリップアングルプロファイルシミュレーション部３０１ｂは、ランプパルスの波形を高速フーリエ変換することによりランプパルスのスラブ領域に厚さ方向におけるフリップアングルの分布をシミュレーションする。
【００４５】
スラブプロファイルシミュレーション部３０１は、信号強度シミュレーション部３０１ａによりシミュレーションされたフリップアングルと、第１スラブ領域についてスキャンを実施する際に収集される磁気共鳴信号における信号強度との関係、およびフリップアングルプロファイルシミュレーション部３０１ｂによりシミュレーションされたＲＦパルスの第１スラブ領域の厚さ方向におけるフリップアングルの分布に基づいて、第１スラブ領域の厚さ方向における、第１スラブ領域についてスキャンを実施する際に収集される磁気共鳴信号の信号強度を示すスラブプロファイルをシミュレーションする。
【００４６】
スラブ領域選択部３０２は、スラブプロファイルシミュレーション部３０１によりシミュレーションされたスラブプロファイルにおけるスラブにおいて、第１スラブ領域についてスキャンを実施する際に収集される磁気共鳴信号の信号強度が変化する割合の正負が逆になる極点、および磁気共鳴信号の信号強度の変化量に基づいて、画像を生成する際に使用する第２スラブ領域を選択する。
【００４７】
記憶部３１は、コンピュータにより構成されている。そして、記憶部３１は、データ収集部２４に収集された画像再構成処理前の磁気共鳴信号、画像再構成部３３で画像再構成処理された画像データ等を記憶する。
【００４８】
操作部３２は、キーボードやマウスなどの操作デバイスにより構成されている。操作部３２は、オペレータによって操作データ、撮像プロトコルなどが入力され、その操作データ、撮像プロトコルを制御部３０に出力する。
【００４９】
図３は、本発明にかかる一実施形態における、操作部３２の構成を示すブロック図である。
【００５０】
図３に示すように、操作部３２は、撮像プロトコル設定部３２１を有しており、撮像プロトコル設定部３２１は、オペレータが入力した被検体における第１スラブ領域と、第１スラブ領域におけるＴ１緩和時間およびＴ２＊緩和時間と、フリップアングルと、ＴＥと、ＴＲと、撮像シーケンスなどを含む撮像プロトコルを設定する。第１スラブ領域は、被検体の撮像領域として最初に設定するスラブ領域である。また、Ｔ１緩和時間とＴ２＊緩和時間は、組織で固有の値であるため、予め撮像プロトコル設定部３２１に設定しておいてもよい。予め撮像プロトコル設定部３２１に設定する場合、第１スラブ領域において信号強度が高くなる組織は水に近い特性を持つことから、水のＴ１緩和時間、Ｔ２＊緩和時間を設定してもよい。
【００５１】
画像再構成部３３は、コンピュータにより構成されている。そして、画像再構成部３３は、データ収集部２４に接続されており、データ収集部２４から出力される磁気共鳴信号に対して画像再構成処理を実施して、画像を生成する。
【００５２】
表示部３４は、ディスプレイなどの表示デバイスにより構成されており、画像再構成部３３が生成する被検体４０の画像を表示する。
【００５３】
（動作）
以下より、上記の本実施形態の磁気共鳴イメージング装置１を用いて、ＲＦパルスが、スラブに対してフリップアングルが徐々に大きくなるように形成されたランプパルスの場合に、画像を生成する第２スラブ領域を選択する動作について説明する。
【００５４】
図４は、本発明にかかる一実施形態において、被検体４０を撮像する撮像領域である第２スラブ領域を選択する動作を示すフロー図である。
【００５５】
まず、図４に示すように、撮像プロトコルを設定する（ＳＴ１０）。
【００５６】
ここでは、スキャン部２がスキャンを実施する際の撮像条件を、操作部３２から入力される撮像プロトコルに基づいて、撮像プロトコル設定部３２１が設定する。
【００５７】
撮像プロトコル設定部３２１が被検体４０における撮像領域と、撮像シーケンスと、設定した撮像領域におけるＴ１緩和時間およびＴ２＊緩和時間と、フリップアングルと、ＴＥと、ＴＲの設定を行う。
具体的には、位置決め画像を撮影し、オペレータが位置決め画像上でスライス厚、スライス枚数、スライス長等を入力し、その入力スライスデータを基に、撮像プロトコル設定部３２１が複数のスライス領域からなる撮像領域である第１スラブ領域を設定する。
そして、撮像プロトコル設定部３２１が、オペレータが操作部３２に入力した撮像シーケンスの設定を行う。撮像シーケンスとして、たとえば、ＧＲＥ（Gradient Echo），ＦＳＥ（Fast Spin Echo），ＥＰＩ（Echo Planar Imaging），ＦＧＳＥ（Fast Gradient Spin Echo）などがあげられる。これらの撮像シーケンスから適切なシーケンス種別が選定される。撮像シーケンスを設定することにより、ＲＦパルスの波形が定まる。本実施形態においては、たとえば、ＲＦパルスの波形がランプパルスとなる撮像シーケンスを選択する。
【００５８】
そして、撮像プロトコル設定部３２１が、設定した第１スラブ領域における操作部３２に入力されたＴ１緩和時間およびＴ２＊緩和時間の設定を行う。Ｔ１緩和時間およびＴ２＊緩和時間は組織で固有の値であるため、オペレータが操作部３２に入力せずに、予め撮像プロトコル設定部３２１に設定させておいてもよい。本実施形態においては、信号強度が高くなる組織は水に近い特性を持つことから、水のＴ１緩和時間、Ｔ２＊緩和時間を設定してもよい。また、撮像プロトコル設定部３２１が、操作部３２に入力されたＴＥ、ＴＲおよびフリップアングルの設定を行う。
【００５９】
また、図５は、本発明にかかる一実施形態における、撮像プロトコル設定部３２１が設定する撮像シーケンスを示す撮像シーケンス図である。図５においては、ランプパルスＲαと、スライス選択方向の勾配パルスＧｚと、位相エンコード方向の勾配パルスＧｙと、周波数エンコード方向の勾配パルスＧｘとを示している。なお、ここでは、縦軸が強度を示し、横軸が時間を示している。
【００６０】
図５に示すように、本実施形態においては、たとえば、３ＤＴＯＦ法に対応する撮像シーケンスにて、繰り返し時間ＴＲごとに繰り返し実施するように、撮像シーケンスを設定する。
【００６１】
つぎに、図４に示すように、フリップアングルと信号強度との関係をシミュレーションする（ＳＴ２０）。
【００６２】
ここでは、撮像プロトコル設定部３２１が設定した撮像プロトコルに基づいて、信号強度シミュレーション部３０１ａが信号強度をシミュレーションする。
【００６３】
図６は、本発明にかかる一実施形態におけるフリップアングルと第１スラブ領域についてスキャンを実施する際に収集される磁気共鳴信号の信号強度との関係である信号強度プロファイルを示す図である。縦軸は磁気共鳴信号の信号強度であり、横軸はフリップアングルである。また、実線は第１スラブ領域における水の信号強度であり、破線は脂肪の信号強度である。
【００６４】
信号強度シミュレーション部３０１ａが、撮像プロトコル設定部３２１で設定された被検体４０の第１スラブ領域におけるＴ１緩和時間およびＴ２＊緩和時間、ＴＥ、ＴＲに基づいて、図６に示すような、フリップアングルと、第１スラブ領域についてスキャンを実施する際に収集される磁気共鳴信号の信号強度との関係をシミュレーションする。
【００６５】
例えば、ＳＰＧＲ法において、第１スラブ領域における磁気共鳴信号は、第１スラブ領域におけるＴ１緩和時間、Ｔ２＊緩和時間、ＴＥ、ＴＲを用いて以下の数式（１）で表される。
【数１】
2008278961.tif 000003
α：フリップアングル
この数式（１）を信号強度シミュレーション部３０１ａに実装させておき、最初に設定した撮像領域である第１スラブ領域におけるＴ１緩和時間とＴ２＊緩和時間、およびオペレータが決定したＴＥとＴＲが撮像プロトコル設定部３２１により設定される。Ｔ１緩和時間とＴ２＊緩和時間は、組織で固有の値であるため、予め撮像プロトコル設定部３２１に設定されている値を用いてもよい。予め信号強度シミュレーション部３０１ａに設定する場合、第１スラブ領域で信号強度が高くなる組織は水に近い特性を持つことから、水のＴ１緩和時間、Ｔ２＊緩和時間を設定する。そして、各撮像プロトコルが撮像プロトコル設定部３２１により設定されることにより、フリップアングルと磁気共鳴信号の信号強度との関係がシミュレーションされる。
【００６６】
図６に示すように、水のＴ１緩和時間が脂肪のＴ１緩和時間よりも長いため、水の磁気共鳴信号の信号強度は低くなる。また、フリップアングルと信号強度の関係は、水は脂肪に比べて、信号強度の高くなる最適なフリップアングルが小さくなる。
【００６７】
また、図６に示すフリップアングルの範囲Ｆ１、Ｆ２、Ｆ３は後述の図７におけるフリップアングルの範囲Ｆにそれぞれ対応する。ここで、範囲Ｆ１は、信号強度プロファイルにおいて水の信号強度および脂肪の信号強度の両方の最大値を含まないフリップアングルの範囲である。また、範囲Ｆ２は、信号強度プロファイルにおいて脂肪の信号強度の最大値は含まないが、水の信号強度の最大値を含むフリップアングルの範囲である。また、範囲Ｆ３は、信号強度プロファイルにおいて水の信号強度および脂肪の信号強度の両方の最大値を含むフリップアングルの範囲である。
【００６８】
つぎに、図４に示すように、第１スラブ領域におけるフリップアングルの分布をシミュレーションする（ＳＴ３０）。
【００６９】
ここでは、撮像プロトコル設定部３２１が設定したフリップアングルと撮像シーケンスに基づいて、フリップアングルプロファイルシミュレーション部３０１ｂがフリップアングルの分布であるフリップアングルプロファイルをシミュレーションする。
【００７０】
図７は、本発明にかかる一実施形態におけるランプパルスのスラブ領域の厚さ方向におけるフリップアングルの分布であるフリップアングルプロファイルを示す図である。縦軸はフリップアングルであり、横軸はスラブ領域の厚さ方向の距離である。
図７に示すように、本発明にかかる一実施形態におけるＲＦパルスは、３ＤＴＯＦ法に用いられるスラブに対してフリップアングルが徐々に大きくなるように形成されたランプパルスである。
図７に示すランプパルスにおけるフリップアングルの範囲Ｆが、図６に示すフリップアングルの範囲Ｆ１、Ｆ２、Ｆ３のいずれかに対応し、図７に示すフリップアングルの範囲Ｆが図６に示すフリップアングルの範囲Ｆ１、Ｆ２、Ｆ３のそれぞれとなることにより、後述の図８における水および脂肪のスラブプロファイルの形状が変化することとなる。
【００７１】
フリップアングルプロファイルシミュレーション部３０１ｂが、撮像プロトコル設定部３２１が設定したフリップアングルと、撮像シーケンスを設定することにより定まるランプパルスの波形に基づいて、ランプパルスのスラブ領域の厚さ方向におけるフリップアングルの分布をシミュレーションする。例えば、複数のフリップアングルに関するフリップアングルの分布を予め求め、フリップアングルプロファイルシミュレーション部３０１ｂに実装させる。そして、撮像プロトコル設定部３２１により設定されたフリップアングルに基づき、予めフリップアングルプロファイルシミュレーション部３０１ｂに実装させていたフリップアングルの分布から、目的のフリップアングルの分布をライン補間などにより近似的にシミュレーションする。
【００７２】
また、他のシミュレーション方法として、フリップアングルが９０°以下の場合、フリップアングルプロファイルシミュレーション部３０１ｂは、ランプパルスの波形を高速フーリエ変換することにより、ランプパルスの第１スラブ領域の厚さ方向におけるフリップアングルの分布をシミュレーションする。例えば、ＲＦ波形ｆ（ｋ）をフーリエ変換すると、数式（２）で示される励起プロファイルx（ｊ）がシミュレーションされる。
【数２】
2008278961.tif 000004
ｊ：空間座標、ｋ：空間周波数、ｎ：ＲＦ分解能
そして、撮像プロトコル設定部３２１でスラブ領域の中心に対応するフリップアングルが設定されるため、シミュレーションした励起プロファイルから、フリップアングルプロファイルシミュレーション部３０１ｂが数式（３）で示されるランプパルスのスラブ領域の厚さ方向におけるフリップアングルの分布をシミュレーションする。
【数３】
2008278961.tif 000005
α：フリップアングル
【００７３】
つぎに、図４に示すように、第１スラブ領域におけるスラブプロファイルをシミュレーションする（ＳＴ４０）。
【００７４】
ここでは、信号強度シミュレーション部３０１ａがシミュレーションしたフリップアングルと信号強度との関係、およびフリップアングルプロファイルシミュレーション部３０１ｂがシミュレーションしたスラブにおけるフリップアングルの分布に基づいて、スラブプロファイルシミュレーション部３０１が、スラブプロファイルをシミュレーションする。
【００７５】
図８は、本発明にかかる一実施形態におけるスラブ領域の厚さ方向にて発生する磁気共鳴信号の信号強度であるスラブプロファイルを示す図である。縦軸は磁気共鳴信号の信号強度であり、横軸はスラブの厚さ方向の距離である。
【００７６】
スラブプロファイルシミュレーション部３０１が、信号強度シミュレーション部３０１ａによりシミュレーションされたフリップアングルと第１スラブ領域についてスキャンを実施する際に収集される磁気共鳴信号の信号強度との関係、およびフリップアングルプロファイルシミュレーション部３０１ｂによりシミュレーションされたランプパルスのスラブ領域の厚さ方向におけるフリップアングルの分布に基づいてスラブ領域の厚さ方向における第１スラブ領域についてスキャンを実施する際に収集される磁気共鳴信号の信号強度を示すスラブプロファイルをシミュレーションする。
例えば、ＳＰＧＲ法において、信号強度シミュレーション部３０１ａによりシミュレーションした第１スラブ領域におけるフリップアングルと、第１スラブ領域についてスキャンを実施する際に収集される磁気共鳴信号の信号強度との関係を表す数式（１）に、フリップアングルプロファイルシミュレーション部３０１ｂによりシミュレーションした数式（３）で表されるフリップアングルの分布を示すフリップアングルプロファイルを代入することにより、スラブプロファイルシミュレーション部３０１が、スラブ領域の厚さ方向における磁気共鳴信号の信号強度を示すスラブプロファイルをシミュレーションする（数式（４））。
【数４】
2008278961.tif 000006
【００７７】
図８に示すように、組織が脂肪の場合、第１スラブ領域の端で信号強度が急激に高くなることはないが、組織が水の場合、第１スラブ領域端で信号強度が急激に高くなる場合がある。これは、水の信号強度が最大となるフリップアングルが小さいため、図７に示す第１スラブ領域においてフリップアングルが急激に低下する部分のフリップアングルの範囲Ｆに対応する、図６に示すフリップアングルの範囲Ｆ２に、水における信号強度が最大となるフリップアングルが含まれる可能性が高いためである。また、図７に示す第１スラブ領域においてフリップアングルが急激に低下する部分のフリップアングルの範囲Ｆに対応する、図６に示すフリップアングルが範囲Ｆ１の場合、範囲Ｆ１に水の信号強度が最大となるフリップアングルが含まれる可能性が低いため、組織が水であっても第１スラブ領域端で信号強度が高くなることはない。また、図７に示すフリップアングルの範囲Ｆに対応する図６に示すフリップアングルが範囲Ｆ３の場合は、範囲Ｆ３に水と脂肪の信号強度が最大となるフリップアングルが含まれる可能性が高いため、組織が水か脂肪かに関わらず第１スラブ領域端で信号強度が高くなる。
【００７８】
つぎに、図４に示すように、第２スラブ領域を選択する（ＳＴ５０）。
【００７９】
ここでは、スラブプロファイルシミュレーション部３０１がシミュレーションしたスラブプロファイルを基に、スラブ領域選択部３０２が第２スラブ領域を選択する。
【００８０】
図９および図１０は、本発明にかかる一実施形態における選択された第２スラブ領域を示す図である。縦軸は第１スラブ領域についてスキャンを実施する際に収集される磁気共鳴信号の信号強度であり、横軸はスラブ領域の厚さ方向の距離である。また、縦軸に平行な破線で区切られたスラブ厚さＤ１は、第１スラブ領域を示し、縦軸に平行な実線で区切られたスラブ厚さＤ２は、第２スラブ領域を示す。また、厚さＤ３、厚さＤ４は削除される、すなわちキス・オフ（kiss-off）スライスを示す。
【００８１】
図７に示すフリップアングルの範囲Ｆに対応する図６に示すフリップアングルの範囲が範囲Ｆ２の場合には、図９に示すように、スラブ領域選択部３０２が、たとえば、スラブプロファイルシミュレーション部３０１によりシミュレーションされた水のスラブプロファイルにおける第１スラブ領域の端部に信号強度の極大点が存在する。そして、第１スラブ領域において、スラブプロファイルの傾きの正負が逆になる点すなわち極点であって、予め定められた変化量のしきい値を超える信号強度の変化が開始する変化開始点である極点を算出した後に、算出した当該極点に対応するように、第１スラブ領域の厚さ方向の位置が変更された領域におけるスラブプロファイルの傾きが、予め定められた傾きのしきい値の範囲内となる領域を、画像を生成する際に使用する第２スラブ領域として選択する。換言すれば、スラブプロファイルの傾きの正負が逆になる点であって、予め定められたしきい値を超える信号強度の変化量の変化開始点を算出した後に、当該算出した極点に対応するように、第１スラブ領域の厚さ方向の位置が変更された領域におけるスラブプロファイルの傾きが、予め定められた傾きのしきい値の範囲を超える領域を、第１スラブ領域において削除されるスライスとして選択する。図９における実線と破線との間の厚さＤ３が削除される複数のスライスとなる。また、この厚さＤ３における削除されるスライス枚数と同じ枚数のスライスである図９における実線と破線との間の厚さＤ４が第１スラブ領域の他端から除外されるスライスとなる。そして、第１スラブ領域から厚さＤ３とＤ４のスライスを削除して残った領域が、画像を生成する際に使用する第２スラブ領域として選択される。また、第１スラブ領域の他端における除去するスライス枚数は、信号強度が増加する点により選択したスライス枚数と異なる枚数であってもよい。たとえば、通常、固定されているスライスの削除枚数であってもよい。
【００８２】
また、図７に示すフリップアングルの範囲Ｆに対応する図６に示すフリップアングルの範囲が範囲Ｆ１の場合には、図１０に示すように、水のスラブプロファイルにおける第１スラブ領域の端部において信号強度の極大点が存在しないが、上述と同様な方法によって第２スラブ領域を設定することができる。また、通常用いているように、予め設定されたキス・オフ・スライス（kiss-off slice）数を削除される厚さＤ３およびＤ４のスライス数とし、第２スラブ領域を設定することも可能である。
【００８３】
つぎに、図４に示すように、第２スラブ領域の確認を行う（ＳＴ６０）。
【００８４】
ここでは、スラブ領域選択部３０２が選択した第２スラブ領域が画像を生成する領域として適切であるか確認する。
【００８５】
スラブ領域選択部３０２が選択した第２スラブ領域が、たとえば、オペレータが必要とする撮像領域を満たしていることを確認する。第２スラブ領域が、オペレータが必要とする撮像領域を満たしている場合、選択した第２スラブ領域は画像を生成する領域として適切である。また、第２スラブ領域が、前記撮像領域を満たしていない場合、選択した第２スラブ領域が画像を生成する領域として適切ではない。
【００８６】
次に、図４に示すように、プロトコルの設定が完了しているかの判断を行う（ＳＴ７０）。
【００８７】
ここでは、撮像プロトコル設定部３２１で設定した撮像プロトコルが適切であるかを、制御部３０が判断する。例えば、ステップＳＴ６０において選択した第２スラブ領域が必要とする撮像領域を満たしている場合には、撮像プロトコルが適切である（ＹＥＳ）と判断する。また、選択した第２スラブ領域が画像を生成する領域として適切でない場合、設定した撮像プロトコルが適切でない（ＮＯ）と判断し、撮像プロトコルを変更し、ステップＳＴ１０からＳＴ５０を行い、再度、第２スラブ領域を選択する。
【００８８】
つぎに、図４に示すように、第２スラブ領域の画像を生成する（ＳＴ８０）。
【００８９】
ここでは、スラブ領域選択部３０２が選択した第２スラブ領域の画像を生成する。
【００９０】
ステップＳＴ７０において、撮像プロトコルが適切である（ＹＥＳ）と判断された場合、第１スラブ領域をスキャンして、画像再構成部３３が生成された第１スラブ領域における画像から第２スラブ領域の画像を選択し、第２スラブ領域の画像を生成する。
【００９１】
以上のように、本発明の本実施形態は、ＲＦパルスとしてランプパルスを使用して画像を生成する場合、たとえば、ＴＯＦ法などの場合、撮像プロトコル設定部３２１で設定された第１スラブ領域の組織におけるＴ１緩和時間およびＴ２＊緩和時間と、ＴＥと、ＴＲとに基づいて、信号強度シミュレーション部３０１ａが、フリップアングルと、第１スラブ領域についてスキャンを実施する際に収集される磁気共鳴信号における信号強度との関係をシミュレーションする。そして、撮像プロトコル設定部３２１で設定されたフリップアングルとランプパルスの波形に基づいて、フリップアングルプロファイルシミュレーション部３０１ｂが、ランプパルスのスラブ領域の厚さ方向におけるフリップアングルの分布をシミュレーションする。そして、信号強度シミュレーション部３０１ａによりシミュレーションされたフリップアングルと、第１スラブ領域についてスキャンを実施する際に収集される磁気共鳴信号における信号強度との関係、およびフリップアングルプロファイルシミュレーション部３０１ｂによりシミュレーションされたランプパルスのスラブ領域の厚さ方向におけるフリップアングルの分布に基づいて、スラブプロファイルシミュレーション部３０１がスラブ領域の厚さ方向における磁気共鳴信号の信号強度を示すスラブプロファイルをシミュレーションする。そして、スラブ領域選択部３０２が、極点であって、予め定められたしきい値を超える信号強度の変化量の変化開始点を算出した後に、当該算出した極点に対応するように、第１スラブ領域の厚さ方向の位置が変更された領域におけるスラブプロファイルの傾きが予め定められた傾きのしきい値の範囲内となる領域を、第２スラブ領域として選択する。そして、スラブ領域選択部３０２が選択した第２スラブ領域を確認し、選択した第２スラブ領域が画像を生成する領域として適切な場合は、スキャンを開始する。また、選択した第２スラブ領域が画像を生成する領域として適切でない場合は、撮像プロトコルを変更し、再度第２スラブ領域を選択する。そして、画像再構成部３３がスキャンすることにより生成された第１スラブ領域における画像から第２スラブ領域の画像を選択し、第２スラブ領域の画像を生成する。
【００９２】
このように、本実施形態は、スラブの厚さ方向における信号強度を示すスラブプロファイルにおける信号強度に基づいて、画像を生成する第２スラブ領域を選択することにより、生成する画像上に高輝度の信号ラインが生じることを防止することができる。よって、画像品質を向上させることができる。
【００９３】
なお、本発明の実施に際しては、上記した実施形態に限定されるものではなく、種々の変形形態を採用することができる。
【００９４】
スラブプロファイルシミュレーション部３０１によりシミュレーションされるスラブ領域の厚さ方向にて発生する磁気共鳴信号の信号強度を示すスラブプロファイルは、上記のシミュレーション方法に限定されず、たとえば、公知のブロッホ・シミュレーションによって求めることもできる。また、信号強度シミュレーション部３０１ａによりシミュレーションされるスラブにおけるフリップアングルと磁気共鳴信号の信号強度との関係、およびフリップアングルプロファイルシミュレーション部３０１ｂによりシミュレーションされるランプパルスの第１スラブ領域の厚さ方向におけるフリップアングルの分布は、上記の方法に限定されず、たとえば、公知のブロッホ・シミュレーションによって求めることもできる。また、スラブ領域選択部３０２が第２スラブ領域を選択する方法として、磁気共鳴信号の信号強度極点を基に選択したが、これには限定されず、予めしきい値を設定しておき、信号強度がしきい値を超えた点を基に第２スラブ領域を選択してもよい。
【図面の簡単な説明】
【００９５】
【図１】図１は、本発明にかかる一実施形態のＲＦコイル部により構成される磁気共鳴イメージング装置の構成を示す構成図である。
【図２】図２は、本発明にかかる一実施形態における制御部の構成を示すブロック図である。
【図３】図３は、本発明にかかる一実施形態における操作部３２の構成を示すブロック図である。
【図４】図４は、本発明にかかる一実施形態における被検体４０を撮像する撮像領域である第２スラブ領域を選択する動作を示すフロー図である。
【図５】図５は、本発明にかかる一実施形態における、撮像プロトコル設定部３２１が設定する撮像シーケンスを示す撮像シーケンス図である。
【図６】図６は、本発明にかかる一実施形態におけるスラブ領域のフリップアングルと第１スラブ領域にて発生する磁気共鳴信号の信号強度の関係を示す図である。
【図７】図７は、本発明にかかる一実施形態におけるランプパルスのスラブ領域の厚さ方向におけるフリップアングルの分布を示す図である。
【図８】図８は、本発明にかかる一実施形態におけるスラブ領域の厚さ方向にて発生する磁気共鳴信号の信号強度を示す図である。
【図９】図９は、本発明にかかる一実施形態における選択された第２スラブ領域を示す図である。
【図１０】図１０は、本発明にかかる一実施形態における選択された第２スラブ領域を示す図である。
【符号の説明】
【００９６】
１０：磁気共鳴イメージング装置、１１：静磁場空間、１２：静磁場マグネット部、１３：勾配コイル部、１４：ＲＦコイル部、１５：クレードル、２２：ＲＦ駆動部、２３：勾配駆動部、２４：データ収集部、３０：制御部、３０１：スラブプロファイルシミュレーション部、３０１ａ：信号強度シミュレーション部、３０１ｂ：フリップアングルプロファイルシミュレーション部、３０２：スラブ領域選択部、３１：記憶部、３２：操作部、３２１：撮像プロトコル設定部、３３：画像再構成部、３４：表示部、４０：被検体
【図１】
2008278961.tif 000007
【図２】
2008278961.tif 000008
【図３】
2008278961.tif 000009
【図４】
2008278961.tif 000010
【図５】
2008278961.tif 000011
【図６】
2008278961.tif 000012
【図７】
2008278961.tif 000013
【図８】
2008278961.tif 000014
【図９】
2008278961.tif 000015
【図１０】
2008278961.tif 000016